(57)【要約】【課題】無線装置と無線制御装置とが分離された無線基地局においても、アンテナや増幅器等の無線機器を制御するための制御信号を無線機器に対して好適に送信する。【解決手段】無線基地局（１）は、無線制御装置（１００）と無線装置（２００）とを備え、無線制御装置は、伝送リンク（５００）を介して送信される伝送フレーム中において規則的に割り当てられる特定フレーム中の制御管理情報領域に、無線機器（３００）を制御するための制御信号を埋め込む埋め込み手段（１０２、１０３）と、伝送リンクを介して伝送フレームを無線装置に送信する第１送信手段（１０２）とを備え、無線装置は、伝送フレーム中の特定フレームから制御信号を抽出する抽出手段（２０２、２０３）と、抽出された制御信号を無線機器に送信する第２送信手段（２０２）を備える。【選択図】図１０
2011130095.tif 000002
【特許請求の範囲】
【請求項１】
無線装置と当該無線装置を制御するための無線制御装置とが伝送リンクを介して接続された無線基地局であって、
前記無線制御装置は、
前記伝送リンクを介して送信される伝送フレーム中に含まれる複数のフレームのうち所定数のフレームを含むフレーム群毎に規則的に割り当てられる特定フレーム中の制御管理情報領域に、前記無線装置に接続される無線機器を制御するための制御信号を埋め込む埋め込み手段と、
前記伝送リンクを介して前記伝送フレームを前記無線装置に送信する第１送信手段と
を備え、
前記無線装置は、
前記送信された伝送フレーム中の前記特定フレームから前記制御信号を抽出する抽出手段と、
前記抽出された制御信号を前記無線機器に送信する第２送信手段と
を備えることを特徴とする無線基地局。
【請求項２】
前記無線制御装置は、
前記特定フレームを指定する指定手段と、
前記指定された特定フレームを特定するための特定情報を前記無線装置に通知する通知手段と
を更に備え、
前記抽出手段は、前記特定情報に基づいて、前記送信された伝送フレーム中の前記特定フレームから前記制御信号を抽出することを特徴とする請求項１に記載の無線基地局。
【請求項３】
前記無線制御装置は、少なくとも第１無線装置及び第２無線装置の夫々と接続されており、
前記埋め込み手段は、前記特定フレーム中の前記制御管理情報領域のうちの第１領域部分に前記第１無線装置に接続された前記無線機器を制御するための第１制御信号を埋め込み、前記特定フレーム中の前記制御管理情報領域のうちの前記第１領域部分とは異なる第２領域部分に前記第２無線装置に接続された前記無線機器を制御するための第２制御信号を埋め込むことを特徴とする請求項１又は２に記載の無線基地局。
【請求項４】
前記伝送リンクは、前記無線基地局の内部インタフェースの仕様であるＣＰＲＩ（Common Public Radio Interface）を採用したリンクであり、前記伝送フレームはＣＰＲＩにより規定される伝送フレームであることを特徴とする請求項１から３のいずれか一項に記載の無線基地局。
【請求項５】
前記制御管理情報領域は、Ｓｌｏｗ  Ｃ＆Ｍ領域であることを特徴とする請求項４に記載の無線基地局。
【請求項６】
無線装置と)伝送リンクを介して接続された無線制御装置であって、
前記伝送リンクを介して送信される伝送フレーム中に含まれる複数のフレームのうち所定数のフレームを含むフレーム群毎に規則的に割り当てられる特定フレーム中の制御管理情報領域に、前記無線装置に接続される無線機器を制御するための制御信号を埋め込む埋め込み手段と、
前記伝送リンクを介して前記伝送フレームを前記無線装置に送信する送信手段と
を備えることを特徴とする無線制御装置。
【請求項７】
伝送リンクを介して送信される伝送フレーム中に含まれる複数のフレームのうち所定数のフレームを含むフレーム群毎に規則的に割り当てられる特定フレーム中の制御管理情報領域に無線機器を制御するための制御信号を埋め込む無線制御装置であって、前記伝送リンクを介して前記伝送フレームを送信する無線制御装置と前記)伝送リンクを介して接続された無線装置であって、
前記送信された伝送フレーム中の前記特定フレームから前記制御信号を抽出する抽出手段と、
前記抽出された制御信号を前記無線機器に送信する送信手段と
を備えることを特徴とする無線装置。
【請求項８】
無線装置と当該無線装置を制御するための無線制御装置とが)伝送リンクを介して接続された無線基地局における通信方法であって、
前記無線制御装置側において、前記伝送リンクを介して送信される伝送フレーム中に含まれる複数のフレームのうち所定数のフレームを含むフレーム群毎に規則的に割り当てられる特定フレーム中の制御管理情報領域に、前記無線装置に接続される無線機器を制御するための制御信号を埋め込む埋め込み工程と、
前記無線制御装置側において、前記伝送リンクを介して前記伝送フレームを前記無線装置に送信する第１送信工程と、
前記無線装置側において、前記送信された伝送フレーム中の前記特定フレームから前記制御信号を抽出する抽出工程と、
前記無線装置側において、前記抽出された制御信号を前記無線機器に送信する第２送信工程と
を備えることを特徴とする通信方法。
【発明の詳細な説明】
【技術分野】
【０００１】
本発明は、例えば無線送受信処理を行う無線装置及びベースバンド処理等を行う無線制御装置を備える無線基地局、このような無線基地局に含まれる無線装置及び無線制御装置、並びにこのような無線基地局における通信方法の技術分野に関する。
【背景技術】
【０００２】
携帯電話などの無線通信システムにおける無線基地局の構成として、無線信号を処理する無線送受信部を含む無線装置（ＲＥ：Radio Equipment）とベースバンド処理等を行う無線制御装置（ＲＥＣ：Radio Equipment Control）とが分離された構成が知られている。これにより、無線制御装置から離れた位置に無線装置を配置することができる。無線装置と無線制御装置との間を結ぶインタフェースとして、例えば、ＣＰＲＩ（Common public Radio Interface）がある。ＣＰＲＩをインタフェースとして用いることで、無線基地局内を無線装置と無線制御装置とに分離し且つその間のインタフェースをオープンにすることにより、無線基地局内の各部のマルチベンダ化を図ることができる。
【０００３】
一方で、無線基地局には、アンテナや増幅器等を含む無線機器（ＡＬＤ：Antenna Line Device）が配置される。この無線機器の動作は、無線基地局に設置されたＡＬＤコントローラから無線機器に対して送信されるＡＬＤ制御信号に基づいて制御されている。ここで、無線装置と無線制御装置とが分離されていない無線基地局においては、無線基地局に内蔵された又は無線基地局の近くに配置されたＡＬＤコントローラは、無線装置の近くに配置されることが多い無線機器の近くに配置される。しかしながら、上述したように近年では無線制御装置から離れた位置に無線装置を配置することができるがゆえに、無線装置の近くに配置されることが多い無線機器に対しても、当該無線機器から離れた位置に配置されているＡＬＤコントローラからＡＬＤ制御信号を送信する必要性が生じている。つまり、無線機器を、ＡＬＤコントローラから遠隔操作（遠隔制御）する必要性が生じている。
【０００４】
無線機器をＡＬＤコントローラから遠隔操作（遠隔制御）するための第１の手法として、ＡＬＤコントローラと無線機器との間に、ＡＬＤ制御信号を送信するための専用線を配置する手法がある。また、無線機器をＡＬＤコントローラから遠隔操作（遠隔制御）するための第２の手法として、無線装置と無線制御装置との間のＣＰＲＩリンク中に、ＡＬＤ制御信号をその送信先を示す情報と共にカプセル化して埋め込む手法がある。
【先行技術文献】
【特許文献】
【０００５】
【特許文献１】特表２００７−５１１９５５号公報
【特許文献２】特開２００７−１２４６０８号公報
【特許文献３】特開２００８−１３１６５１号公報
【発明の概要】
【発明が解決しようとする課題】
【０００６】
しかしながら、まず第１の手法では、専用線を新たに設置する必要がある。このため、専用線の配置に伴うコストが増大してしまう。従って、容易に第１の手法を採用することができるとは言い難い。また、第２の手法では、ＡＬＤ制御信号のカプセル化のための特別な装置が必要になる。特に、ＡＬＤ制御信号をカプセル化してＣＰＲＩリンク（言い換えれば、ＣＰＲＩリンク中を送信されるＣＰＲＩフレーム）中に埋め込むため、ＣＰＲＩフレームの構造が規格から外れてしまう。このため、第２の手法に汎用性があるとは言い難い。
【０００７】
本発明が解決しようとする課題には上記のようなものが一例として挙げられる。本発明は、例えば無線装置と無線制御装置とが分離された無線基地局においても、アンテナや増幅器等の無線機器を制御するための制御信号を無線機器に対して好適に送信することが可能な無線基地局、無線装置及び無線制御装置、並びに通信方法を提供することを目的とする。
【課題を解決するための手段】
【０００８】
上記課題は、伝送リンクを介して接続された無線装置と無線制御装置とを備える無線基地局によって解決され得る。
【０００９】
無線制御装置は、無線装置を制御するための装置である。より具体的には、無線制御装置は、例えば、無線装置に対して送信するべき信号又は無線装置から受信した信号に対してベースバンド処理等を行う。無線制御装置は、埋め込み手段と第１送信手段とを備えている。埋め込み手段は、伝送リンクを介して送信される伝送フレームに含まれる特定フレーム中の制御管理情報領域に、無線装置に接続される無線機器を制御するための制御信号を埋め込む。特定フレームは、伝送フレームに含まれる複数のフレームのうち所定数のフレームを含むフレーム群毎に規則的に（言い換えれば、周期的に）割り当てられるフレームである。第１送信手段は、伝送リンクを介して、制御信号が埋め込まれた伝送フレームを無線装置に送信する。
【００１０】
無線装置は、例えば無線制御装置が配置される位置とは離れた位置（遠隔位置）に配置される装置である。より具体的には、無線装置は、例えば、無線制御装置から送信される信号やアンテナ等の無線機器を介して受信される信号に対して無線送受信処理を行うための装置である。無線装置は、抽出手段と第２送信手段とを備えている。抽出手段は、無線制御装置から送信された伝送フレーム中の特定フレームから、無線機器を制御するための制御信号を抽出する。第２送信手段は、抽出手段によって抽出された制御信号を、無線機器に対して送信する。
【００１１】
上記課題は、埋め込み工程と、第１送信工程と、抽出工程と、第２送信工程とを備える通信方法によっても解決され得る。埋め込み工程では、上述した埋め込み手段が行う動作と同様の動作が行われる。第１送信工程では、上述した第１送信手段が行う動作と同様の動作が行われる。抽出工程では、上述した抽出手段が行う動作と同様の動作が行われる。第２送信工程では、上述した第２送信手段が行う動作と同様の動作が行われる。埋め込み工程及び第１送信工程は、主として無線制御装置側で行われる工程である。抽出工程及び第２送信工程は、主として無線装置側で行われる工程である。
【００１２】
上記課題は、上述した無線制御装置（つまり、埋め込み手段及び第１送信手段を備える無線制御装置）によっても解決され得る。また、上記課題は、上述した無線装置（つまり、抽出手段及び第２送信手段を備える無線装置）によっても解決され得る。
【発明の効果】
【００１３】
以上説明した無線基地局によれば、制御信号を伝送フレームに埋め込むことができる。特に、例えば所定のプロトコル（例えば、ＨＤＬＣ（High Level Data Link Control）プロトコル等）に準拠した制御管理情報領域に、例えば同一のプロトコル（例えば、ＨＤＬＣプロトコル等）に準拠することが多い制御信号を埋め込むことができる。このため、伝送フレームの構造を変えることなく、制御信号を伝送フレームに埋め込むことができる。つまり、制御信号そのものを伝送フレームにそのまま埋め込めば足りる。このため、制御信号にヘッダ情報を付加した上で伝送フレームに埋め込んだり或いは制御信号をカプセル化した上で伝送フレームに埋め込んだりする必要がなくなる。従って、伝送リンクの規格に準拠しながら、伝送フレームに制御信号を埋め込むことができる。
【００１４】
加えて、規則的に割り当てられる特定フレームに対して制御信号を埋め込むことができる（言い換えれば、伝送フレームに対してランダムに制御信号が埋め込まれることがない）。このため、無線装置は、規則的に現れる特定フレームを参照することで、制御信号を比較的容易に抽出することができる。従ってヘッダ情報の付加やカプセル化を行わなくとも、無線装置側で比較的容易に抽出可能な態様で制御信号を伝送フレームに埋め込むことができる。
【００１５】
また、無線装置と無線制御装置との間の伝送リンクを利用して、無線機器を制御するための制御信号を送信することができる。このため、制御信号を送信するための専用線を設ける必要がなくなる。
【００１６】
また、以上説明した通信方法、並びに無線制御装置及び無線装置によれば、上述した通信システムと同様の効果を享受することができる。
【図面の簡単な説明】
【００１７】
【図１】第１実施形態の無線基地局の基本構成の一例を示すブロック図である。
【図２】第１実施形態の無線基地局が備えるＲＥＣの基本構成の一例を示すブロック図である。
【図３】第１実施形態の無線基地局が備えるＲＥの基本構成の一例を示すブロック図である。
【図４】ＣＰＲＩプロトコルの階層構造を説明図である。
【図５】ＣＰＲＩプロトコルに準拠したＣＰＲＩフレームの構造を示すデータ構造図である。
【図６】コントロールワードのデータ構造を示すデータ構造図である。
【図７】第１実施形態の無線基地局が備えるＲＥＣの動作の流れを示すフローチャートである。
【図８】ＡＬＤ制御信号を埋め込むためのハイパーフレームである特定ハイパーフレームを指定する態様を示すデータ構造図である。
【図９】第１実施形態の無線基地局が備えるＲＥの動作の流れを示すフローチャートである。
【図１０】第１実施形態の無線基地局の動作内容をまとめた模式図である。
【図１１】第２実施形態の無線基地局の基本構成の一例を示すブロック図である。
【図１２】第２実施形態の無線基地局が備えるＲＥＣの動作の流れをフローチャートである。
【図１３】第２実施形態の無線基地局が備えるＲＥの動作の流れをフローチャートである。
【図１４】第２実施形態の無線基地局の動作内容をまとめた模式図である。
【図１５】第３実施形態の無線基地局の基本構成の一例を示すブロック図である。
【図１６】第３実施形態の無線基地局の動作内容をまとめた模式図である。
【発明を実施するための最良の形態】
【００１８】
以下、本発明を実施するための最良の形態を、図面に基づいて説明する。
【００１９】
（１）第１実施形態
初めに、図１から図１０を参照して、第１実施形態の無線基地局１について説明する。
【００２０】
（１−１）基本構成図
初めに、図１を参照して、第１実施形態の無線基地局１の基本構成について説明する。ここに、図１は、第１実施形態の無線基地局１の基本構成の一例を示すブロック図である。
【００２１】
図１に示すように、第１実施形態の無線基地局１は、ＲＥＣ（Radio Equipment Control：無線制御装置）１００と、ＲＥ（Radio Equipment：無線装置）２００とを備えている。第１実施形態の無線基地局１は、数十ｍから数十ｋｍの伝送距離を有する通信回線（例えば、光ファイバ等）を含むＣＰＲＩ（Common public Radio Interface：コモン・パブリック・ラジオ・インタフェース）リンク５００を介して、１つのＲＥＣ１００に対して１つのＲＥ２００が接続される構成を有している。また、第１実施形態の無線基地局１（特に、ＲＥ２００）には、有線又は無線の通信回線を介してＡＬＤ３００が接続されている。また、第１実施形態の無線基地局１（特に、ＲＥＣ１００）には、有線又は無線の通信回線を介して、ＡＬＤコントローラ４００が接続されている。
【００２２】
ＲＥＣ１００は、ベースバンド処理等を行う装置である。具体的には、ＲＥＣ１００は、ＲＥ２００及びＡＬＤ３００を介して不図示の移動端末に対して送信するデータに対して、ベースバンド処理や符号化処理や変調処理等を行う。ベースバンド処理や符号化処理や変調処理等が行われたデータは、光ファイバ等のＣＰＲＩリンク５００を介してＲＥ２００に対して送信される。また、ＲＥＣ１００は、ＲＥ２００及びＡＬＤ３００を介して不図示の移動端末から受信するデータに対して、ベースバンド処理や復号化処理や復調処理等を行う。
【００２３】
ＲＥ２００は、無線送受信処理等を行う装置であって、ＲＥＣ１００とは離れた位置に設置される。具体的には、ＲＥ２００は、ＡＬＤ３００を介して不図示の移動端末に対して送信するデータであって且つＲＥＣ１００においてベースバンド処理等が行われたデータに対して、増幅処理等の無線送受信処理等を行う。また、ＲＥ２００は、ＡＬＤ３００を介して不図示の移動端末から受信するデータに対しても同様に無線送受信処理等を行う。無線送受信処理等が行われたデータは、ＣＰＲＩリンク５００を介してＲＥＣ１００へ送信される。
【００２４】
ＡＬＤ３００は、アンテナ（例えば、遠隔チルトアンテナ：Remote Tilt Antenna）や増幅器（例えば、塔体取付増幅器：Tower-mounted amplifier）等の無線機器である。ＡＬＤ３００は、例えばＲＥ２００に近接するように設置される。言い換えれば、ＡＬＤ３００は、例えばＲＥＣ１００から離れた位置に設置される。ＡＬＤ３００は、ＲＥ２００から送信されるデータ（つまり、無線信号）を、不図示の移動端末に向けて無線電波として送信する。また、ＡＬＤ３００は、不図示の移動端末から送信される無線電波を受信し、受信信号をデータとしてＲＥ２００に対して送信する。尚、図１では、ＡＬＤ３００が無線基地局１の外部に設置される構成を示している。しかしながら、ＡＬＤ３００を無線基地局１の内部に設置されるように構成してもよい。
【００２５】
ＡＬＤコントローラ４００は、ＡＬＤ３００を制御するためのＡＬＤ制御信号を、ＡＬＤ３００に対して送受信する。ＡＬコントローラ４００は、例えばＲＥ２００やＡＬＤ３００から離れた位置に設置される。第１実施形態では、後に詳述するように、ＡＬＤ制御信号は、ＲＥＣ１００を介して、ＲＥＣ１００とＲＥ２００との間で送受信されるＣＰＲＩフレームを用いて送受信される。ＡＬＤ制御信号の送受信の詳細な態様は後に詳述されるため、ここでの詳細な説明は省略する。尚、図１では、ＡＬＤコントローラ４００が無線基地局１の外部に設置される構成を示している。しかしながら、ＡＬＤコントローラ４００を無線基地局１の内部に設置されるように構成してもよい。
【００２６】
このような無線基地局１によれば、例えばＲＥ２００を地下街等に設置することで、ＲＥＣ１００の設置された地点（例えば、地上部分）からでは電波が充分到達しないような場所においても移動端末の使用を可能とすることができる。
【００２７】
（１−２）詳細構成図
続いて、第１実施形態の無線基地局１が備えるＲＥＣ１００及びＲＥ２００の夫々の詳細な構成について説明する。
【００２８】
（１−２−１）ＲＥＣの構成
初めに、図２を参照して、第１実施形態の無線基地局１が備えるＲＥＣ１００の構成について説明する。ここに、図２は、第１実施形態の無線基地局１が備えるＲＥＣ１００の基本構成の一例を示すブロック図である。尚、以下では、第１実施形態のＲＥＣ１００に特有の構成を選択的に説明しているが、ＲＥＣ１００が動作するために必要な他の構成を適宜備えていてもよいことは言うまでもない。
【００２９】
図２に示すように、ＲＥＣ１００は、信号処理部１０１と、ＣＰＲＩフレーマ１０２と、ＣＰＵ１０３とを備えている。
【００３０】
信号処理部１０１は、有線又は無線等の通信回線を介してＲＥＣ１００に接続された不図示の上位局（例えば、ＲＮＣ等）から送信されるデータに対して、ベースバンド処理等を行う。ベースバンド処理等が行われたデータは、ＣＰＲＩフレーマ１０２に送信される。また、信号処理部１０１は、ＣＰＲＩフレーマ１０２から送信されるデータに対してベースバンド処理等を行う。ベースバンド処理等が行われたデータは、上位局に対して送信される。
【００３１】
ＣＰＲＩフレーマ１０２は、ベースバンド処理等が行われたデータを、後述するＣＰＲＩフレームに変換する。変換されたデータ（つまり、ＣＰＲＩフレーム）は、ＣＰＲＩリンク５００を介してＲＥ２００へ送信される。また、ＣＰＲＩフレーマ１０２は、ＣＰＲＩリンク５００を介してＲＥ２００から送信されるＣＰＲＩフレームを、ＲＥＣ１００内部で処理可能なデータに変換する。変換されたデータは、信号処理部１０１へ送信される。
【００３２】
加えて、ＣＰＲＩフレーマ１０２は、ＡＬＤコントローラ４００から送信されるＡＬＤ制御信号を、ＣＰＲＩフレームに埋め込む（言い換えれば、マッピングする）。ＡＬＤ制御信号が埋め込まれたＣＰＲＩフレームは、ＣＰＲＩリンク５００を介してＲＥ２００へ送信される。同様に、ＣＰＲＩフレーマ１０２は、ＲＥ２００から送信されるＣＰＲＩフレームに埋め込まれたＡＬＤ制御信号を抽出する。抽出されたＡＬＤ制御信号は、ＡＬＤコントローラ４００へ送信される。
【００３３】
ＣＰＵ１０３は、ＲＥＣ１００全体の動作を制御する。ＣＰＵ１０３は、例えば所定のファームウェアに基づいて動作することで、ＲＥＣ１００全体の動作（例えば、信号処理部１０１やＣＰＲＩフレーマ１０２の動作）を制御する。
【００３４】
（１−２−２）ＲＥのブロック図
続いて、図３を参照して、第１実施形態の無線基地局１が備えるＲＥ２００の構成について説明する。ここに、図３は、第１実施形態の無線基地局１が備えるＲＥ２００の基本構成の一例を示すブロック図である。尚、以下では、第１実施形態のＲＥ２００に特有の構成を選択的に説明しているが、ＲＥ２００が動作するために必要な他の構成を適宜備えていてもよいことは言うまでもない。
【００３５】
図３に示すように、ＲＥ２００は、無線処理部２０１と、ＣＰＲＩフレーマ２０２と、ＣＰＵ２０３とを備えている。
【００３６】
無線処理部２０１は、不図示の移動端末から送信されるデータに対して無線送受信処理等を行う。無線送受信処理等が行われたデータは、ＣＰＲＩフレーマ２０２に送信される。また、無線処理部２０１は、ＣＰＲＩフレーマ２０２から送信されるデータに対して無線送受信処理等を行う。無線送受信処理等が行われたデータは、ＡＬＤ３００を介して不図示の移動端末に送信される。
【００３７】
ＣＰＲＩフレーマ２０２は、無線送受信処理等が行われたデータをＣＰＲＩフレームに変換する。変換されたデータ（つまり、ＣＰＲＩフレーム）は、ＣＰＲＩリンク５００を介してＲＥＣ１００へ送信される。また、ＣＰＲＩフレーマ２０２は、ＣＰＲＩリンク５００を介してＲＥＣ１００から送信されるＣＰＲＩフレームを、ＲＥ２００内部で処理可能なデータに変換する。変換されたデータは、無線処理部２０１へ送信される。
【００３８】
加えて、ＣＰＲＩフレーマ２０２は、ＲＥＣ１００から送信されるＣＰＲＩフレームに埋め込まれたＡＬＤ制御信号を抽出する。抽出されたＡＬＤ制御信号は、ＡＬＤ３００へ送信される。また、ＣＰＲＩフレーマ２０２は、ＡＬＤ３００から送信されるＡＬＤ制御信号を、ＣＰＲＩフレームに埋め込む。ＡＬＤ制御信号が埋め込まれたＣＰＲＩフレームを、ＣＰＲＩリンク５００を介してＲＥＣ１００へ送信される。
【００３９】
ＣＰＵ２０３は、ＲＥ２００全体の動作を制御する。ＣＰＵ２０３は、例えば所定のファームウェアに基づいて動作することで、ＲＥ２００全体の動作（例えば、無線処理部２０１やＣＰＲＩフレーマ２０２の動作）を制御する。
【００４０】
（１−３）ＣＰＲＩプロトコルの概要
続いて、図４を参照して、ＲＥＣ１００とＲＥ２００とを接続するＣＰＲＩリンク５００が準拠するＣＰＲＩプロトコルについて説明する。ここに、図４は、ＣＰＲＩプロトコルの階層構造を示す説明図である。
【００４１】
図４に示すように、ＣＰＲＩプロトコルは、物理層（第１層：Ｌａｙｅｒ  １）とデータリンク層（第２層：Ｌａｙｅｒ  ２）とを定義している。第１層は、例えば、電気的特性、光学的特性、異なるデータフローの時分割多重化、低レベル信号伝達等を定義している。第２層は、制御及び管理情報フローのメディア・アクセス制御、フロー制御、データ保護を定義している。
【００４２】
第２層には、ユーザプレーン（User Plane）と、制御・管理プレーン（Control & Management Plane）と、同期データ（SYNC）とが定義されている。ユーザプレーンは、ＲＥＣ１００からＲＥ２００へのデータの送信及びＲＥ２００からＲＥＣ１００へのデータの送信に関連するプロトコルデータプレーンである。ユーザプレーンには、ＲＥＣ１００からＲＥ２００に送信される又はＲＥ２００からＲＥＣ１００に送信されるデータを複素データの形式となるＩＱデータ（IQ Data）として格納するＩＱデータ領域と、ベンダに固有の情報であるベンダ固有情報（Vender Specific）を格納するベンダ固有情報領域とが含まれている。制御・管理プレーンは、呼処理のための制御データや、ＲＥＣ１００及びＲＥ２００の運用、管理及び保守のための管理データの送受信に関連するプロトコルデータプレーンである。制御・管理プレーンは、イーサネット（登録商標）プロトコルに準拠したファスト制御管理データ（Fast C&M）を格納するファスト制御管理データ領域と、ＨＤＬＣ（High Level Data Link Control）プロトコルに準拠したスロー制御管理データ（Slow C&M）を格納するスロー制御管理データ領域と、第１層インバンドプロトコル（L1 Inband Protocol）を格納する第１層インバンドプロトコル領域とを含んでいる。同期プレーンは、ＲＥＣ１００とＲＥ２００との間での同期・タイミングデータの送受信に関連するプロトコルデータプレーンである。同期プレーンは、同期・タイミングデータとしての第１層インバンドプロトコルを格納する第１層インバンドプロトコル領域を含んでいる。これらのデータは、第１層において定義されている時分割多重化モード（Time Division Multiplexing）により、電送ライン（Electrical Transmission）又は光伝送ライン（Optical Transmission）上で多重化される。
【００４３】
続いて、図５を参照して、ＣＰＲＩプロトコルに準拠したＣＰＲＩフレームについて説明する。ここに、図５は、ＣＰＲＩプロトコルに準拠したＣＰＲＩフレームの構造を示すデータ構造図である。
【００４４】
図５に示すように、１０ミリ秒の長さを有する１個のＣＰＲＩフレーム（ＵＭＴＳ（Universal Mobile Telecommunications System）物理的フレーム）は、１５０個のハイパーフレーム（Hyper Frame）を含んでいる。また、１個のハイパーフレームは、２５６個の基本フレーム（Basic Frame）を含んでいる。１個の基本フレームは、８ビット×１６ワードのサイズのデータ（或いは、最大で８ビット×１６ワード×４のサイズのデータ）を格納することができる。ＣＰＲＩにおいて、通常の表記では、Ｚ（Ｚ＝０・・・１４９）は１０ｍ秒の長さを有するＣＰＲＩフレーム中の対応したハイパーフレームのハイパーフレーム番号を表すために使用され、Ｘ（Ｘ＝０・・・２２５）はハイパーフレーム中の対応した基本フレームのフレーム番号を表すために使用され、Ｗ（Ｗ＝０・・・１５）は１つの基本フレーム中の対応したワードの番号を表すために使用され、Ｙ（Ｙ＝０・・・３）は１つの基本フレームから構成された１つのワードの１つの対応したバイトの番号を表すために使用され、Ｂ（Ｂ＝０・・・３１）は１つの基本フレームから構成された１つのワードの１つの対応したビットの番号を表すために使用される。
【００４５】
各基本フレーム中の最初のワード（つまり、Ｗ＝０にて特定されるワード）は、上述したユーザプレーンに含まれるＩＱデータ以外のデータを格納するためのコントロールワードとして用いられる。ここで、図６を参照して、コントロールワードのデータ構造について説明する。ここに、図６は、コントロールワードのデータ構造を示すデータ構造図である。
【００４６】
図６には、１個のハイパーフレームに含まれる２５６個の基本フレームの夫々の最初のワード（つまり、コントロールワード）の配列が示されている。図６中の「＃Ｘ」にて特定される領域は、基本フレーム番号がＸとなる基本フレームのコントロールワードを示している。図６に示すように、Ｘ＝０となる基本フレーム（つまり、Ｚ．０．Ｙ）のコントロールワードには、コンマバイトが格納される。Ｘ＝６４、１２８及び１９２となる基本フレーム（つまり、Ｚ．６４．Ｙ、Ｚ．１２８．Ｙ及びＺ．１９２．Ｙ）の夫々のコントロールワードには、同期・タイミングデータが格納される。Ｘ＝１、６５、１２９及び１９３となる基本フレーム（つまり、Ｚ．１．Ｙ、Ｚ．６５．Ｙ、Ｚ．１２９．Ｙ及びＺ．１９３．Ｙ）の夫々のコントロールワードには、スロー制御管理データが格納される。Ｘ＝２、６６、１３０及び１９４となる基本フレーム（つまり、Ｚ．２．Ｙ、Ｚ．６６．Ｙ、Ｚ．１３０．Ｙ及びＺ．１９４．Ｙ）の夫々のコントロールワードには、第１層インバンドプロトコルが格納される。Ｘ＝３〜１５、６７〜７９、１３１〜１４３及び１９５〜２０７となる基本フレーム（つまり、Ｚ．３〜１５．Ｙ、Ｚ．６７〜７９．Ｙ、Ｚ．１３１〜１４３．Ｙ及びＺ．１９５〜２０７．Ｙ）の夫々のコントロールワードは、リザーブドエリアとして確保されている。Ｘ＝１６〜Ｐ−１（但し、Ｐは、ファスト制御管理データに対するポインタにより特定される変数）、８０〜Ｐ＋６３、１４４〜Ｐ＋１２７及び２０８〜Ｐ＋１９１となる基本フレーム（つまり、Ｚ．１６〜Ｐ−１．Ｙ、Ｚ．８０〜Ｐ＋６３．Ｙ、Ｚ．１４４〜Ｐ＋１２７．Ｙ及びＺ．２０８〜Ｐ＋１９１．Ｙ）の夫々のコントロールワードには、ベンダ固有情報が格納される。Ｘ＝Ｐ〜６３、Ｐ＋６４〜１２７、Ｐ＋１２８〜１９１及びＰ＋１９２〜２５５となる基本フレーム（つまり、Ｚ．Ｐ〜６３．Ｙ、Ｚ．Ｐ＋６４〜１２７．Ｙ、Ｚ．Ｐ＋１２８〜１９１＋１２７．Ｙ及びＺ．Ｐ＋１９２〜２５５．Ｙ）の夫々のコントロールワードには、ファスト制御管理データが格納される。
【００４７】
（１−４）動作説明
（１−４−１）ＲＥＣの動作
続いて、図７を参照して、第１実施形態の無線基地局１が備えるＲＥＣ１００の動作について説明する。ここでは、ＲＥＣ１００がＣＰＲＩフレームにＡＬＤ制御信号を埋め込む動作について説明する。ここに、図７は、第１実施形態の無線基地局１が備えるＲＥＣ１００の動作の流れを示すフローチャートである。
【００４８】
図７に示すように、ＲＥＣ１００が備えるＣＰＵ１０３は、ＡＬＤ制御信号をＲＥ２００に対して送信するために必要なＡＬＤ接続速度を取得する（ステップＳ１１）。例えば、ＣＰＵ１０３は、ＡＬＤ４００に問い合わせを行うことで、ＡＬＤ接続速度を取得してもよい。或いは、ＣＰＵ１０３は、予め設定されているＡＬＤ接続速度を取得してもよい。
【００４９】
続いて、ＲＥＣ１００が備えるＣＰＵ１０３は、ステップＳ１１において取得されたＡＬＤ接続速度を満たすように、ＡＬＤ制御信号を埋め込むためのハイパーフレームである特定ハイパーフレームを指定する（ステップＳ１２）。より具体的には、ＣＰＵ１０３は、１５０個のハイパーフレームを所定フレーム数毎に分割した分割フレーム群（言い換えれば、変換フレーム）を生成する。その後、ＣＰＵ１０３は、変換フレーム毎に、規則的に又は周期的に現れるハイパーフレームを特定フレームとして指定する。
【００５０】
また、このとき、ＲＥＣ１００が備えるＣＰＵ１０３は、特定ハイパーフレーム中において、ＡＬＤ制御信号を埋め込むための基本フレームを指定してもよい。より具体的には、第１実施形態では、ＡＬＤ制御信号は、ＣＰＲＩフレーム中の「スロー制御管理データ領域」に埋め込まれる。スロー制御管理データ領域は、Ｘ＝１、６５、１２９及び１９３となる基本フレームの夫々のコントロールワードに相当する。従って、ＣＰＵ１０３は、ＡＬＤ制御信号を埋め込むための基本フレームとして、Ｘ＝１、６５、１２９及び１９３となる４つの基本フレームのうちの少なくとも１つの基本フレームを指定する。この場合、ＡＬＤ制御信号は、特定ハイパーフレーム中のＸ＝１、６５、１２９及び１９３となる４つの基本フレームのうちの少なくとも１つのコントロールワード（つまり、スロー制御管理データ領域）に埋め込まれる。
【００５１】
ここで、図８を参照して、ＡＬＤ制御信号を埋め込むためのハイパーフレームである特定ハイパーフレームを指定する態様について説明する。ここに、図８は、ＡＬＤ制御信号を埋め込むためのハイパーフレームである特定ハイパーフレームを指定する態様を示すデータ構造図である。
【００５２】
図８に示すように、ＣＰＵ１０３が、１５０個のハイパーフレームを２５個のハイパーフレーム毎に分割することで変換フレームを生成する例について説明する。この場合、１５０個のハイパーフレームは、Ｚ＝０〜２４となる２５個のハイパーフレームを含む第１の変換フレームと、Ｚ＝２５〜４９となる２５個のハイパーフレームを含む第２の変換フレームと、Ｚ＝５０〜７４となる２５個のハイパーフレームを含む第３の変換フレームと、Ｚ＝７５〜９９となる２５個のハイパーフレームを含む第４の変換フレームと、Ｚ＝１００〜１２４となる２５個のハイパーフレームを含む第５の変換フレームと、Ｚ＝１２５〜１４９となる２５個のハイパーフレームを含む第６の変換フレームとに分割される。
【００５３】
また、以下の説明は、特定ハイパーフレーム中のＸ＝１、６５、１２９及び１９３となる４つの基本フレームのうちの１つの基本フレームのコントロールワードに埋め込まれる例について説明する。
【００５４】
図７のステップＳ１１において取得されたＡＬＤ接続速度が「９．６ｋｂｐｓ」であった場合、ＣＰＵ１０３は、例えば各変換フレーム中の２個のハイパーフレームを特定ハイパーフレームとして指定する。このとき、ＣＰＵ１０３は、指定された特定ハイパーフレームが規則的に又は周期的に現れるように、特定ハイパーフレームを指定することが好ましい。例えば、図８に示す例では、ＣＰＵ１０３は、各変換フレームから、第１２×ｐ（但し、ｐ＝０、１）＋１番目のハイパーフレーム（つまり、２個のハイパーフレーム）を、特定ハイパーフレームとして指定する。つまり、ＣＰＵ１０３は、第１の変換フレームから、Ｚ＝１２ｐ（つまり、０及び１２）となる２個のハイパーフレームを、特定ハイパーフレームとして指定する。同様に、ＣＰＵ１０３は、第２の変換フレームから、Ｚ＝１２ｐ＋２５（つまり、２５及び３７）となる２個のハイパーフレームを、特定ハイパーフレームとして指定する。同様に、ＣＰＵ１０３は、第３の変換フレームから、Ｚ＝１２ｐ＋５０（つまり、５０及び６２）となる２個のハイパーフレームを、特定ハイパーフレームとして指定する。同様に、ＣＰＵ１０３は、第４の変換フレームから、Ｚ＝１２ｐ＋７５（つまり、７５及び８７）となる２個のハイパーフレームを、特定ハイパーフレームとして指定する。同様に、ＣＰＵ１０３は、第５の変換フレームから、Ｚ＝１２ｐ＋１００（つまり、１００及び１１２）となる２個のハイパーフレームを、特定ハイパーフレームとして指定する。同様に、ＣＰＵ１０３は、第６の変換フレームから、Ｚ＝１２ｐ＋１２５（つまり、１２５及び１３７）となる２個のハイパーフレームを、特定ハイパーフレームとして指定する。このような特定ハイパーフレームの指定により、１０ミリ秒の間（つまり、１つのＣＰＲＩフレームを送信する間）に、２×６個の特定ハイパーフレームの夫々に含まれる１つの基本フレームのコントロールワードを用いてＡＬＤ制御信号を送信することができる。従って、２×６×８（ビット）／１０×１０−３（秒）＝９．６ｋｂｐｓの接続速度（言い換えれば、伝送速度）を実現することができる。
【００５５】
或いは、図７のステップＳ１１において取得されたＡＬＤ接続速度が「３８．４ｋｂｐｓ」であった場合、ＣＰＵ１０３は、例えば各変換フレーム中の８個のハイパーフレームを特定ハイパーフレームとして指定する。このときも、ＣＰＵ１０３は、指定された特定ハイパーフレームが規則的に又は周期的に現れるように、特定ハイパーフレームを指定することが好ましい。例えば、図８に示す例では、ＣＰＵ１０３は、各変換フレームから、第３ｑ（但し、ｑ＝０、１、２、３、４、５、６、７）＋１番目のハイパーフレーム（つまり、８個のハイパーフレーム）を、特定ハイパーフレームとして指定する。つまり、ＣＰＵ１０３は、第１の変換フレームから、Ｚ＝３ｑ（つまり、０、３、６、９、１２、１５、１８及び２１）となる８個のハイパーフレームを、特定ハイパーフレームとして指定する。同様に、ＣＰＵ１０３は、第２の変換フレームから、Ｚ＝３ｑ＋２５（つまり、２５、２８、３１、３４、３７、４０、４３及び４６）となる８個のハイパーフレームを、特定ハイパーフレームとして指定する。同様に、ＣＰＵ１０３は、第３の変換フレームから、Ｚ＝３ｑ＋５０（つまり、５０、５３、５６、５９、６２、６５、６８及び７１）となる８個のハイパーフレームを、特定ハイパーフレームとして指定する。同様に、ＣＰＵ１０３は、第４の変換フレームから、Ｚ＝３ｑ＋７５（つまり、７５、７８、８１、８４、８７、９０、９３及び９６）となる８個のハイパーフレームを、特定ハイパーフレームとして指定する。同様に、ＣＰＵ１０３は、第５の変換フレームから、Ｚ＝３ｑ＋１００（つまり、１００、１０３、１０６、１０９、１１２、１１５、１１８及び１２１）となる８個のハイパーフレームを、特定ハイパーフレームとして指定する。同様に、ＣＰＵ１０３は、第６の変換フレームから、Ｚ＝３ｑ＋１２５（つまり、１２５、１２８、１３１、１３４、１３７、１４０、１４３及び１４６）となる８個のハイパーフレームを、特定ハイパーフレームとして指定する。このような特定ハイパーフレームの指定により、１０ミリ秒の間（つまり、１つのＣＰＲＩフレームを送信する間）に、８×６個の特定ハイパーフレームの夫々に含まれる１つの基本フレームのコントロールワードを用いてＡＬＤ制御信号を送信することができる。従って、８×６×８（ビット）／１０×１０−３（秒）＝３８．４ｋｂｐｓの接続速度を実現することができる。
【００５６】
或いは、図７のステップＳ１１において取得されたＡＬＤ接続速度が「１１５．２ｋｂｐｓ」であった場合、ＣＰＵ１０３は、例えば各変換フレーム中の全てのハイパーフレームを特定ハイパーフレームとして指定する。このような特定ハイパーフレームの指定により、１０ミリ秒の間（つまり、１つのＣＰＲＩフレームを送信する間）に、２５×６個の特定ハイパーフレームの夫々に含まれる１つの基本フレームのコントロールワードを用いてＡＬＤ制御信号を送信することができる。従って、２５×６×８（ビット）／１０×１０−３（秒）＝１２０ｋｂｐｓ（＞１１５．２ｋｂｐｓ）の接続速度を実現することができる。
【００５７】
また、上記接続速度は、ＡＬＤ制御信号を埋め込む基本フレームの個数（言い換えれば、スロー制御管理データ領域となるコントロールワードの数）によっても調整することができる。例えば、Ｘ＝１、６５、１２９及び１９３となる４つの基本フレームのうちの１つの基本フレームのコントロールワードにＡＬＤ制御信号を埋め込む場合の接続速度と比較して、Ｘ＝１、６５、１２９及び１９３となる４つの基本フレームのうちのｒ（但し、ｒ＝２、３、４）個の基本フレームのコントロールワードにＡＬＤ制御信号を埋め込む場合の接続速度はｒ倍となる。但し、ＣＰＲＩのラインビットレートに応じて、スロー制御管理データ領域となるコントロールワードの数に制約がある。従って、ＣＰＲＩのラインビットレートをも考慮して、Ｘ＝１、６５、１２９及び１９３となる４つの基本フレームのうちのいずれを使用するかを指定することが好ましい。
【００５８】
尚、図８に示す例は一例であり、第１実施形態の動作が図８に示す例に限定されるものではない。従って、ＣＰＵ１０３は、１５０個のハイパーフレームを任意の数のハイパーフレーム毎に分割することで変換フレームを生成してもよい。同様に、ＣＰＵ１０３は、各変換フレーム中に規則的に又は周期的に現れるハイパーフレームを特定ハイパーフレームとして指定してもよい。同様に、ＣＰＵ１０３は、Ｘ＝１、６５、１２９及び１９３となる４つの基本フレームのうちの任意の基本フレームのコントロールワードにＡＬＤ制御信号を埋め込んでもよい。
【００５９】
再び図７において、ＲＥＣ１００が備えるＣＰＵ１０３は、ＡＬＤ制御信号をＣＰＲＩフレームに埋め込む初期タイミングを設定する（ステップＳ１３）。言い換えれば、ＣＰＵ１０３は、ＡＬＤ制御信号をＣＰＲＩフレームに埋め込み始めるタイミングを設定する。
【００６０】
続いて、ＲＥＣ１００が備えるＣＰＵ１０３は、ＣＰＲＩフレーマ１０２及びＣＰＲＩリンク５００を介して、ＲＥ２００に対して、特定ハイパーフレームを特定するための特定情報を通知する（ステップＳ１４）。特定情報は、特定ハイパーフレームのハイパーフレーム番号そのものを含んでいてもよい。これにより、ＲＥ２００は、比較的容易に特定ハイパーフレームを特定することができる。或いは、特定ハイパーフレームが規則的に又は周期的に現れることを考慮して、特定情報は、初期タイミングと特定ハイパーフレームが現れる周期や変換フレームのサイズを含んでいてもよい。これにより、特定情報のサイズの増大を抑制しながらも、ＲＥ２００は特定ハイパーフレームを特定することができる。いずれにせよ、特定ハイパーフレームを適切に特定することができる情報である限りは、特定情報として用いることができる。
【００６１】
このとき、特定情報は、特定ハイパーフレーム中のＡＬＤ制御信号を埋め込んだ基本フレーム（言い換えれば、ＡＬＤ制御信号が埋め込まれたコントロールワード）を特定するための情報を更に含んでいてもよい。例えば、特定情報は、ＡＬＤ制御信号が埋め込まれた基本フレームの基本フレーム番号そのものを含んでいてもよい。或いは、コントロールワードがコントロールワード番号Ｘｓ（図６参照）及び行番号Ｎｓにて特定され且つＡＬＤ制御信号が埋め込まれるコントロールワード（つまり、スロー制御管理データ領域となるコントロールワード）の行番号Ｎｓが全て１であることを考慮して、特定情報は、コントロールワード番号Ｘｓを含んでいてもよい。いずれにせよ、特定ハイパーフレーム中のＡＬＤ制御信号を埋め込んだ基本フレームを適切に特定することができる情報である限りは、特定情報として用いることができる。
【００６２】
その後、ＲＥＣ１００が備えるＣＰＲＩフレーマ１０２は、ＣＰＵ１０３の制御の下に、ＡＬＤコントローラ４００から送信されるＡＬＤ制御信号を埋め込みながらＣＰＲＩフレームを生成する（ステップＳ１５）。つまり、ステップＳ１４において特定された特定ハイパーフレーム中のＸ＝１、６５、１２９及び１９３となる４つの基本フレームのうちの少なくとも１つの基本フレームのコントロールワード（つまり、スロー制御管理データ領域）にＡＬＤ制御信号をマッピングしながら、ＣＰＲＩフレームを生成する。尚、ＡＬＤ制御信号及びスロー制御管理データ領域の夫々がＨＤＬＣプロトコルに準拠しているため、ＣＰＲＩフレーマ１０２は、ビット単位での単純なマッピングを行うことで、ＡＬＤ制御信号をＣＰＲＩフレームに埋め込む。
【００６３】
その後、ＲＥＣ１００が備えるＣＰＲＩフレーマ１０２は、ＣＰＲＩリンク５００を介して、ＣＰＲＩフレームをＲＥ２００に対して送信する（ステップＳ１６）。
【００６４】
尚、ＡＬＤ制御信号は、ＡＬＤコントローラ４００からＡＬＤ３００へ送信されるだけでなく、ＡＬＤ３００からＡＬＤコントローラ４００へと送信されることもある。従って、ＲＥＣ１００は、ＡＬＤ制御信号をＣＰＲＩフレームに埋め込むことに加えて又は代えて、ＣＰＲＩフレームに埋め込まれたＡＬＤ制御信号の抽出を行なうことが好ましい。ＲＥＣ１００におけるＡＬＤ制御信号の抽出動作は、後述するＲＥ２００におけるＡＬＤ制御信号の抽出動作と同様の態様で、ＣＰＵ１０３の制御の下に動作するＣＰＲＩフレーマ１０２により行われる。
【００６５】
（１−４−２）ＲＥの動作
続いて、図９を参照して、第１実施形態の無線基地局１が備えるＲＥ２００の動作について説明する。ここでは、ＲＥ２００がＣＰＲＩフレームに埋め込まれたＡＬＤ制御信号を抽出する動作について説明する。ここに、図９は、第１実施形態の無線基地局１が備えるＲＥ２００の動作の流れを示すフローチャートである。
【００６６】
図９に示すように、ＲＥ２００が備えるＣＰＵ２０３は、ＣＰＲＩフレーマ２０２及びＣＰＲＩリンク５００を介してＲＥＣ１００から送信される特定情報を取得する（ステップＳ２１）。
【００６７】
続いて、ＲＥ２００が備えるＣＰＲＩフレーマ２０２は、ＣＰＵ２０３の制御の下に、ステップＳ２１において取得された特定情報に基づいて、特定ハイパーフレームを受信したか否かを判定する（ステップＳ２２）。
【００６８】
ステップＳ２２における判定の結果、特定ハイパーフレームを受信していないと判定された場合には（ステップＳ２２：Ｎｏ）、ステップＳ２２における判定動作を継続する。
【００６９】
他方で、ステップＳ２２における判定の結果、特定ハイパーフレームを受信したと判定された場合には（ステップＳ２２：Ｙｅｓ）、ＲＥ２００が備えるＣＰＲＩフレーマ２０２は、特定ハイパーフレーム中のスロー管理情報データ領域から、ＡＬＤ制御信号を抽出する（ステップＳ２３）。
【００７０】
その後、ＲＥ２００が備えるＣＰＲＩフレーマ２０２は、ステップＳ２３において抽出したＡＬＤ制御信号を、ＡＬＤ３００へ送信する（ステップＳ２４）。その結果、ＡＬＤ３００は、ＡＬＤ制御信号による制御下で動作する。
【００７１】
尚、ＡＬＤ制御信号は、ＡＬＤコントローラ４００からＡＬＤ３００へ送信されるだけでなく、ＡＬＤ３００からＡＬＤコントローラ４００へと送信されることもある。従って、ＲＥ２００は、ＣＰＲＩフレームに埋め込まれたＡＬＤ制御信号を抽出することに加えて又は換えて、ＡＬＤ制御信号をＣＰＲＩフレームに埋め込むことが好ましい。ＲＥ２００におけるＡＬＤ制御信号のＣＰＲＩフレームへの埋め込み動作は、上述したＲＥＣ１００におけるＡＬＤ制御信号のＣＰＲＩフレームへの埋め込み動作と同様の態様で、ＣＰＵ２０３の制御の下に動作するＣＰＲＩフレーマ２０２により行われる。但し、ＲＥ２００側では、特定ハイパーフレーム等を指定する必要はなく、ＲＥＣ１００から通知される特定情報により指定される特定ハイパーフレームに対してＡＬＤ制御信号を埋め込めばよい。
【００７２】
以上説明した第１実施形態の無線基地局１の動作について、図１０を参照して簡潔にまとめる。ここに、図１０は、第１実施形態の無線基地局１の動作内容をまとめた模式図である。
【００７３】
図１０に示すように、ＡＬＤコントローラ４００からＡＬＤ３００に向かう下り方向では、ＲＥＣ１００は、ＣＰＲＩフレーム中の特定ハイパーフレームのスロー制御管理領域に、ＡＬＤ制御信号（言い換えれば、ＡＬＤコントローラ４００から送信されるＡＬＤ制御信号）を埋め込む。また、ＲＥ２００は、ＣＰＲＩフレーム中の特定ハイパーフレームのスロー制御管理領域に埋め込まれたＡＬＤ制御信号を抽出すると共に、抽出したＡＬＤ制御信号をＡＬＤ３００へ送信する。一方で、ＡＬＤ３００からＡＬＤコントローラ４００に向かう上り方向では、ＲＥ２００は、ＣＰＲＩフレーム中の特定ハイパーフレームのスロー制御管理領域に、ＡＬＤ制御信号（言い換えれば、ＡＬＤコントローラ４００に対して送信されるＡＬＤ制御信号）を埋め込む。また、ＲＥＣ１００は、ＣＰＲＩフレーム中の特定ハイパーフレームのスロー制御管理領域に埋め込まれたＡＬＤ制御信号を抽出すると共に、抽出したＡＬＤ制御信号をＡＬＤコントローラ４００に送信する。
【００７４】
以上説明した第１実施形態の無線基地局１によれば、ＡＬＤ３００を制御するためのＡＬＤ制御信号を、ＣＰＲＩフレームに埋め込むことができる。第１実施形態の無線基地局１によれば、ＨＤＬＣ（High Level Data Link Control）プロトコルに準拠したスロー制御管理データ領域に、ＨＤＬＣプロトコルに準拠したＡＬＤ制御信号を埋め込むことができる。このため、ＣＰＲＩフレームの構造を変えることなく、ＡＬＤ制御信号をＣＰＲＩフレームに埋め込むことができる。つまり、ＡＬＤ制御信号そのものをＣＰＲＩフレームに対してビット単位でマッピングしながら埋め込めば足りる。従って、ＡＬＤ制御信号をＣＰＲＩフレームに対して好適に埋め込むことができる。
【００７５】
更に、第１実施形態の無線基地局１によれば、ＲＥＣ１００とＲＥ２００との間のＣＰＲＩリンク５００を利用して、ＡＬＤ制御信号を送信することができる。このため、ＡＬＤ制御信号を送信するための専用線（例えば、ＡＬＤコントローラ４００とＡＬＤ３００との間の専用線）を設ける必要がなくなる。
【００７６】
加えて、第１実施形態の無線基地局１によれば、規則的に又は周期的に現れる特定ハイパーフレームに対してＡＬＤ制御信号を埋め込むことができる。言い換えれば、第１実施形態の無線基地局１によれば、ＣＰＲＩフレームに対してランダムにＡＬＤ制御信号が埋め込まれることがなくなる。更に、特定ハイパーフレーム内においても、規則的に又は周期的に現れる基本フレームのコントロールワード（つまり、スロー制御管理データ領域）にＡＬＤ制御信号を埋め込むことができる。このため、ＲＥ２００は、この規則性又は周期性に着目して特定ハイパーフレーム及び基本フレームを参照すれば、ＡＬＤ制御信号を比較的容易に抽出することができる。つまり、ＲＥＣ１００とＲＥ２００との間でのＡＬＤ制御信号の送受信に必要な同期を、比較的容易に図ることができる。このため、送信先のＡＬＤ３００を特定するためのアドレス等を含むヘッダ情報やフッタ情報等を新たに付加した上でＡＬＤ制御信号をＣＰＲＩフレームに埋め込んだり或いはＡＬＤ制御信号をカプセル化した上でＣＰＲＩフレームに埋め込んだりする必要がなくなる。従って、ＣＰＲＩという規格に準拠しながら、ＣＰＲＩフレームにＡＬＤ制御信号を適切に埋め込むことができる。これにより、ＡＬＤ制御信号をＣＰＲＩフレームに埋め込むために特別な物理的な装置（例えば、カプセル化装置等）を新たに備える必要はなく、無線基地局１の汎用性を確保することができる。
【００７７】
また、第１実施形態の無線基地局１によれば、ＡＬＤ制御信号が埋め込まれた特定ハイパーフレーム（更には、ＡＬＤ制御信号が埋め込まれた基本フレーム）を特定するための特定情報が、ＲＥＣ１００からＲＥ２００に対して通知される。従って、ＲＥ２００は、通知情報を参照することで、特定ハイパーフレームからＡＬＤ制御信号を比較的容易に抽出することができる。つまり、ＲＥＣ１００とＲＥ２００との間でのＡＬＤ制御信号の送受信に必要な同期を、比較的容易に図ることができる。
【００７８】
（２）第２実施形態
続いて、図１１から図１４を参照して、第２実施形態の無線基地局２について説明する。尚、第１実施形態の無線基地局１と同様の構成及び動作については、同一の参照符号及びステップ番号を付してその詳細な説明については省略する。
【００７９】
（２−１）システム構成図
初めに、図１１を参照して、第２実施形態の無線基地局２の基本構成について説明する。ここに、図１１は、第２実施形態の無線基地局２の基本構成の一例を示すブロック図である。
【００８０】
図１１に示すように、第２実施形態の無線基地局２は、ＲＥＣ１００と、ＲＥ２００ａと、ＲＥ２００ｂと、ＲＥ２００ａに接続されるＡＬＤ３００ａと、ＲＥ２００ｂに接続されるＡＬＤ３００ｂと、ＡＬＤ３００ａを制御するためのＡＬＤコントローラ４００ａと、ＡＬＤ３００ｂを制御するためのＡＬＤコントローラ４００ｂとを備えている。第２実施形態の無線基地局２は、ＣＰＲＩ（Common public Radio Interface：コモン・パブリック・ラジオ・インタフェース）５００を介して１つのＲＥＣ１００に対して２つ（つまり、複数）のＲＥ２００が接続され且つ各ＲＥ２００にＡＬＤ３００が接続される構成を有している。つまり、第２実施形態の無線基地局２では、複数のＡＬＤネットワークが形成されている。
【００８１】
尚、ＲＥＣ１００及びＲＥ２００の夫々の構成は、第１実施形態において説明した構成と同一であるが、ＲＥＣ１００及び２００の夫々の動作内容が第１実施形態において説明した動作内容と異なる。以下、異なる動作内容について重点的に説明する。
【００８２】
（２−２）動作説明
（２−２−１）ＲＥＣの動作
続いて、図１２を参照して、第２実施形態の無線基地局２が備えるＲＥＣ１００の動作について説明する。ここでは、ＲＥＣ１００がＣＰＲＩフレームにＡＬＤ制御信号を埋め込む動作について説明する。ここに、図１２は、第２実施形態の無線基地局２が備えるＲＥＣ１００の動作の流れを示すフローチャートである。
【００８３】
図１２に示すように、第２実施形態においては、ＲＥＣ１００は、第１実施形態における動作と同様に、ＡＬＤ接続速度を取得し（ステップＳ１１）、特定ハイパーフレームを指定し（ステップＳ１２）、初期タイミングを設定する（ステップＳ１３）。
【００８４】
第２実施形態では、ＲＥＣ１００が備えるＣＰＵ１０３は、複数のＲＥ２００が接続されているか否かを判定する（ステップＳ３１）。
【００８５】
ステップＳ３１における判定の結果、複数のＲＥ２００が接続されていないと判定された場合には（ステップＳ３１：Ｎｏ）、１つのＲＥＣ１００には１つのＲＥ２００が接続されているものと推定される。従って、ＲＥＣ１００は、第１実施形態における動作と同様に、特定ハイパーフレームを特定するための特定情報を通知し（ステップＳ１４）、ＡＬＤ制御信号を埋め込みながらＣＰＲＩフレームを生成し（ステップＳ１５）、ＣＰＲＩフレームをＲＥ２００に対して送信する（ステップＳ１６）。
【００８６】
他方で、ステップＳ３１における判定の結果、複数のＲＥ２００が接続されていると判定された場合には（ステップＳ３１：Ｙｅｓ）、ＲＥＣ１００が備えるＣＰＵ１０３は、複数のＲＥ２００の夫々に対して、対応するコントロールワード番号Ｘｓを重複しないように割り当てる（ステップＳ３２）。具体的には、ＣＰＵ１０３は、ＲＥ２００ａに対して一のコントロールワード番号（例えば、Ｘｓ＝０）を割り当て、ＲＥ２００ａに対して一のコントロールワード番号とは異なる他のコントロールワード番号（例えば、Ｘｓ＝１）を割り当てる。
【００８７】
続いて、ＲＥＣ１００が備えるＣＰＵ１０３は、ＣＰＲＩフレーマ１０２及びＣＰＲＩリンク５００を介して、ＲＥ２００に対して、特定ハイパーフレームを特定するための特定情報を通知する（ステップＳ１４）。このとき、第２実施形態における特定情報は、ステップＳ３２において割り当てられたコントロールワード番号Ｘｓを特定する情報を含んでいることが好ましい。
【００８８】
その後、ＲＥＣ１００が備えるＣＰＲＩフレーマ１０２は、ＣＰＵ１０３の制御の下に、ＡＬＤコントローラ４００から送信されるＡＬＤ制御信号を埋め込みながらＣＰＲＩフレームを生成する（ステップＳ１５）。第２実施形態では、ＣＰＲＩフレーマ１０２は、ＡＬＤコントローラ４００ａから送信され且つＡＬＤ３００ａに対して送信されるＡＬＤ制御信号を、ステップＳ３２においてＲＥ２００ａに対して割り当てられたコントロールワード番号Ｘｓ（例えば、０）に対応するコントロールワード（スロー管理制御データ領域）に埋め込む。具体的には、例えば、ＣＰＲＩフレーマ１０２は、ＡＬＤコントローラ４００ａから送信されるＡＬＤ制御信号を、特定ハイパーフレーム中のＸ＝１となる基本フレームのコントロールワードに埋め込む。一方で、ＣＰＲＩフレーマ１０２は、ＡＬＤコントローラ４００ｂから送信され且つＡＬＤ３００ｂに対して送信されるＡＬＤ制御信号を、ステップＳ３２においてＲＥ２００ｂに対して割り当てられたコントロールワード番号Ｘｓ（例えば、１）に対応するコントロールワード（スロー管理制御データ領域）に埋め込む。具体的には、例えば、ＣＰＲＩフレーマ１０２は、ＡＬＤコントローラ４００ｂから送信されるＡＬＤ制御信号を、特定ハイパーフレーム中のＸ＝６５となる基本フレームのコントロールワードに埋め込む。
【００８９】
その後、ＲＥＣ１００が備えるＣＰＲＩフレーマ１０２は、ＣＰＲＩリンク５００を介して、ＣＰＲＩフレームをＲＥ２００に対して送信する（ステップＳ１６）。
【００９０】
（２−２−２）ＲＥの動作
続いて、図１３を参照して、第２実施形態の無線基地局２が備えるＲＥ２００の動作について説明する。ここに、図１３は、第２実施形態の無線基地局２が備えるＲＥ２００の動作の流れを示すフローチャートである。
【００９１】
図１３に示すように、ＲＥ２００が備えるＣＰＵ２０３は、第１実施形態の動作と同様に、特定情報を取得し（ステップＳ２１）、特定ハイパーフレームを受信したか否かを判定する（ステップＳ２２）。
【００９２】
ステップＳ２２における判定の結果、特定ハイパーフレームを受信していないと判定された場合には（ステップＳ２２：Ｎｏ）、ステップＳ２２における判定動作を継続する。
【００９３】
他方で、ステップＳ２２における判定の結果、特定ハイパーフレームを受信したと判定された場合には（ステップＳ２２：Ｙｅｓ）、ＲＥ２００が備えるＣＰＲＩフレーマ２０２は、特定ハイパーフレーム中のスロー管理情報データ領域から、ＡＬＤ制御信号を抽出する（ステップＳ４１）。第２実施形態では、各ＲＥ２００が備えるＣＰＲＩフレーマ２０２は、自分に割り当てられたコントロールワード番号に対応するコントロールワード（スロー管理制御データ領域）から、ＡＬＤ制御信号を抽出する。例えば、ＲＥ２００ａに対してコントロールワード番号Ｘｓ＝０が割り当てられ且つＲＥ２００ｂに対してコントロールワード番号Ｘｓ＝１が割り当てられる例について説明する。ＲＥ２００ａが備えるＣＰＲＩフレーマ２０２は、特定ハイパーフレーム中のＸ＝１となる基本フレームのコントロールワード（つまり、スロー制御管理データ領域）からＡＬＤ制御信号を抽出する。一方で、ＲＥ２００ｂが備えるＣＰＲＩフレーマ２０２は、特定ハイパーフレーム中のＸ＝６５となる基本フレームのコントロールワード（つまり、スロー制御管理データ領域）からＡＬＤ制御信号を抽出する。
【００９４】
その後、ＲＥ２００が備えるＣＰＲＩフレーマ２０２は、ステップＳ２３において抽出したＡＬＤ制御信号を、ＡＬＤ３００へ送信する（ステップＳ２４）。より具体的には、ＲＥ２００ａは、ステップＳ２３において抽出したＡＬＤ制御信号を、ＡＬＤ３００ａへ送信する。一方で、ＲＥ２００ｂは、ステップＳ２３において抽出したＡＬＤ制御信号を、ＡＬＤ３００ｂへ送信する。その結果、ＡＬＤ３００ａ及び３００ｂは、ＡＬＤ制御信号による制御下で動作する。
【００９５】
以上説明した第２実施形態の無線基地局２の動作について、図１４を参照して簡潔にまとめる。ここに、図１４は、第２実施形態の無線基地局２の動作内容をまとめた模式図である。
【００９６】
図１４に示すように、ＡＬＤコントローラ４００ａ及び４００ｂからＡＬＤ３００ａ及び３００ｂに向かう下り方向では、ＲＥＣ１００は、特定ハイパーフレーム中のコントロールワード番号Ｘｓが「０」となるスロー制御管理データ領域に、ＡＬＤ３００ａを制御するためのＡＬＤ制御信号（言い換えれば、ＡＬＤコントローラ４００ａから送信されるＡＬＤ制御信号）を埋め込む。また、ＲＥＣ１００は、特定ハイパーフレーム中のコントロールワード番号Ｘｓが「１」となるスロー制御管理データ領域に、ＡＬＤ３００ｂを制御するためのＡＬＤ制御信号（言い換えれば、ＡＬＤコントローラ４００ｂから送信されるＡＬＤ制御信号）を埋め込む。また、ＲＥ２００ａは、特定ハイパーフレーム中のコントロールワード番号Ｘｓが「０」となるスロー制御管理データ領域からＡＬＤ制御信号を抽出すると共に、抽出したＡＬＤ制御信号をＡＬＤ３００ａに送信する。また、ＲＥ２００ｂは、特定ハイパーフレーム中のコントロールワード番号Ｘｓが「１」となるスロー制御管理データ領域からＡＬＤ制御信号を抽出すると共に、抽出したＡＬＤ制御信号をＡＬＤ３００ｂに送信する。
【００９７】
一方で、ＡＬＤ３００ａ及び３００ｂからＡＬＤコントローラ４００ａ及び４００ｂに向かう上り方向では、ＲＥ２００ａは、特定ハイパーフレーム中のコントロールワード番号Ｘｓが「０」となるスロー制御管理データ領域に、ＡＬＤ３００ａを制御するためのＡＬＤ制御信号（言い換えれば、ＡＬＤコントローラ４００ａに対して送信されるＡＬＤ制御信号）を埋め込む。また、ＲＥ２００ｂは、特定ハイパーフレーム中のコントロールワード番号Ｘｓが「１」となるスロー制御管理データ領域に、ＡＬＤ３００ｂを制御するためのＡＬＤ制御信号（言い換えれば、ＡＬＤコントローラ４００ｂに対して送信されるＡＬＤ制御信号）を埋め込む。また、ＲＥＣ１００は、特定ハイパーフレーム中のコントロールワード番号Ｘｓが「０」となるスロー制御管理データ領域からＡＬＤ制御信号を抽出すると共に、抽出したＡＬＤ制御信号をＡＬＤコントローラ４００ａに送信する。また、ＲＥＣ１００は、特定ハイパーフレーム中のコントロールワード番号Ｘｓが「１」となるスロー制御管理データ領域からＡＬＤ制御信号を抽出すると共に、抽出したＡＬＤ制御信号をＡＬＤコントローラ４００ｂに送信する。
【００９８】
以上説明したように、第２実施形態の無線基地局２によれば、第１実施形態の無線基地局１が享受する効果と同一の効果を享受することができる。
【００９９】
第２実施形態の無線基地局２によれば、コントロールワード番号Ｘｓを、実質的なアドレス（つまり、ＡＬＤ３００とＡＬＤコントローラ４００との間の通信におけるアドレス）として用いている。従って、複数のＡＬＤコントローラ４００ａ及び４００ｂと接続されたＲＥＣ１００に対して複数のＲＥ２００ａ及び２００ｂが接続されている場合であっても、複数のＡＬＤコントローラ４００ａ及び４００ｂからのＡＬＤ制御信号を、対応するＲＥ２００ａ及び２００ｂを介して対応するＡＬＤ３００ａ及び３００ｂに対して適切に送信することができる。同様に、複数のＡＬＤ３００ａ及び３００ｂからのＡＬＤ制御信号を、対応するＲＥ２００ａ及び２００ｂを介して対応するＡＬＤコントローラ４００ａ及び４００ｂに対して適切に送信することができる。
【０１００】
尚、上述の説明では、１つのＲＥＣ１００に対して２つのＲＥ２００ａ及び２００ｂが接続される例について説明している。しかしながら、１つのＲＥＣ１００に対して３つ以上のＲＥ２００が接続され且つ各ＲＥ２００にＡＬＤ３００が接続される構成であっても、同様の動作を行うことで同様の効果を享受することができることは言うまでもない。
【０１０１】
（３）第３実施形態
続いて、図１５及び図１６を参照して、第３実施形態の無線基地局３について説明する。尚、第１実施形態の無線基地局１及び第２実施形態の無線基地局２と同様の構成及び動作については、同一の参照符号及びステップ番号を付してその詳細な説明については省略する。ここに、図１５は、第３実施形態の無線基地局１の基本構成の一例を示すブロック図であり、図１６は、第３実施形態の無線基地局３の動作内容をまとめた模式図である。
【０１０２】
図１５に示すように、第３実施形態の無線基地局３は、ＲＥＣ１００と、ＲＥ２００ａと、ＲＥ２００ｂと、ＲＥ２００ａに接続されるＡＬＤ３００ａと、ＲＥ２００ｂに接続されるＡＬＤ３００ｂと、ＡＬＤ３００ａ及びＡＬＤ３００ｂを制御するためのＡＬＤコントローラ４００とを備えている。つまり、第３実施形態の無線基地局３では、複数のＲＥ２００及び複数のＡＬＤ３００を備える一方で単一のＡＬＤネットワークが形成されている。
【０１０３】
尚、ＲＥＣ１００及びＲＥ２００の夫々の構成は、第１実施形態において説明した構成と同一であるが、ＲＥＣ１００及び２００の夫々の動作内容が第１実施形態において説明した動作内容と異なる。以下、異なる動作内容について重点的に説明する。
【０１０４】
まず、ＡＬＤコントローラ４００からＡＬＤ３００ａ及び３００ｂに向かう下り方向では、第１実施形態と同様の態様の動作が行われる。具体的には、図１６に示すように、ＲＥＣ１００は、ＣＰＲＩフレーム中の特定ハイパーフレームのスロー制御管理領域に、ＡＬＤ３００ａ及び３００ｂを制御するためのＡＬＤ制御信号（言い換えれば、ＡＬＤコントローラ４００から送信されるＡＬＤ制御信号）を埋め込む。また、ＲＥ２００ａは、ＣＰＲＩフレーム中の特定ハイパーフレームのスロー制御管理領域に埋め込まれたＡＬＤ制御信号を抽出すると共に、抽出したＡＬＤ制御信号をＡＬＤ３００ａに送信する。同様に、ＲＥ２００ｂは、ＣＰＲＩフレーム中の特定ハイパーフレームのスロー制御管理領域に埋め込まれたＡＬＤ制御信号を抽出すると共に、抽出したＡＬＤ制御信号をＡＬＤ３００ｂに送信する。つまり、下り方向では、ＲＥＣ１００からＲＥ２００ａ及びＲＥ２００ｂの夫々に対して同一のＡＬＤ制御信号が送信される。ＡＬＤ３００ａ及びＡＬＤ３００ｂは、ＡＬＤ制御信号のうち自身宛てのメッセージを抽出することで、ＡＬＤ制御信号に基づく動作を行う。
【０１０５】
一方で、ＡＬＤ３００ａ及び３００ｂからＡＬＤコントローラ４００に向かう上り方向では、第２実施形態と同様の動作が行われる。具体的には、図１６に示すように、ＲＥ２００ａは、特定ハイパーフレーム中のコントロールワード番号Ｘｓが「０」となるスロー制御管理データ領域に、ＡＬＤ３００ａを制御するためのＡＬＤ制御信号（言い換えれば、ＡＬＤ３００ａからＡＬＤコントローラ４００に対して送信されるＡＬＤ制御信号）を埋め込む。また、ＲＥ２００ｂは、特定ハイパーフレーム中のコントロールワード番号Ｘｓが「１」となるスロー制御管理データ領域に、ＡＬＤ３００ｂを制御するためのＡＬＤ制御信号（言い換えれば、ＡＬＤ３００ｂからＡＬＤコントローラ４００ｂに対して送信されるＡＬＤ制御信号）を埋め込む。また、ＲＥＣ１００は、特定ハイパーフレーム中のコントロールワード番号Ｘｓが「０」となるスロー制御管理データ領域からＡＬＤ制御信号を抽出すると共に、特定ハイパーフレーム中のコントロールワード番号Ｘｓが「１」となるスロー制御管理データ領域からＡＬＤ制御信号を抽出する。ＲＥＣ１００は、更に、抽出した２種類のＡＬＤ制御信号をビット加算した合成信号を、ＡＬＤコントローラ４００に送信する。
【０１０６】
以上説明したように、第３実施形態の無線基地局２によれば、第１実施形態の無線基地局１や第２実施形態の無線基地局２が享受する効果と同一の効果を享受することができる。
【０１０７】
第３実施形態の無線基地局３によれば、複数のＲＥ２００ａ及び２００ｂ並びに複数のＡＬＤ３００ａ及び３００ｂが１つのＡＬＤネットワーク内に配置される構成であっても、ＡＬＤコントローラ４００から各ＡＬＤ３００ａ及び３００ｂへのＡＬＤ制御信号を、対応するＲＥ２００ａ及び２００ｂを介して対応するＡＬＤ３００ａ及び３００ｂに対して適切に送信することができる。同様に、複数のＡＬＤ３００ａ及び３００ｂからのＡＬＤ制御信号を、対応するＲＥ２００ａ及び２００ｂを介してＡＬＤコントローラ４００に対して適切に送信することができる。つまり、ＲＥＣ１００とＲＥ２００ａ及び２００ｂとの間でのＡＬＤ制御信号の送受信に必要な同期を、比較的容易に図ることができる。
【０１０８】
尚、上述の説明では、１つのＲＥＣ１００に対して２つのＲＥ２００ａ及び２００ｂが接続される例について説明している。しかしながら、１つのＲＥＣ１００に対して３つ以上のＲＥ２００が接続され且つ各ＲＥ２００にＡＬＤ３００が接続される構成であっても、同様の動作を行うことで同様の効果を享受することができることは言うまでもない。
【０１０９】
以上説明した第１から第３実施形態に関して、更に以下の付記を開示する。
【０１１０】
（付記１）
無線装置と当該無線装置を制御するための無線制御装置とが伝送リンクを介して接続された無線基地局であって、前記無線制御装置は、前記伝送リンクを介して送信される伝送フレーム中に含まれる複数のフレームのうち所定数のフレームを含むフレーム群毎に規則的に割り当てられる特定フレーム中の制御管理情報領域に、前記無線装置に接続される無線機器を制御するための制御信号を埋め込む埋め込み手段と、前記伝送リンクを介して前記伝送フレームを前記無線装置に送信する第１送信手段とを備え、前記無線装置は、前記送信された伝送フレーム中の前記特定フレームから前記制御信号を抽出する抽出手段と、前記抽出された制御信号を前記無線機器に送信する第２送信手段とを備えることを特徴とする無線基地局。
【０１１１】
（付記２）
前記無線制御装置は、前記特定フレームを指定する指定手段と、前記指定された特定フレームを特定するための特定情報を前記無線装置に通知する通知手段とを更に備え、前記抽出手段は、前記特定情報に基づいて、前記送信された伝送フレーム中の前記特定フレームから前記制御信号を抽出することを特徴とする付記１に記載の無線基地局。
【０１１２】
（付記３）
前記無線制御装置は、少なくとも第１無線装置及び第２無線装置の夫々と接続されており、前記埋め込み手段は、前記特定フレーム中の前記制御管理情報領域のうちの第１領域部分に前記第１無線装置に接続された前記無線機器を制御するための第１制御信号を埋め込み、前記特定フレーム中の前記制御管理情報領域のうちの前記第１領域部分とは異なる第２領域部分に前記第２無線装置に接続された前記無線機器を制御するための第２制御信号を埋め込むことを特徴とする付記１又は２に記載の無線基地局。
【０１１３】
（付記４）
前記伝送リンクは、前記無線基地局の内部インタフェースの仕様であるＣＰＲＩ（Common Public Radio Interface）を採用したリンクであり、前記伝送フレームはＣＰＲＩにより規定される伝送フレームであることを特徴とする付記１から３のいずれか一項に記載の無線基地局。
【０１１４】
（付記５）
前記制御管理情報領域は、Ｓｌｏｗ  Ｃ＆Ｍ領域であることを特徴とする付記４に記載の無線基地局。
【０１１５】
（付記６）
前記無線装置は、前記特定フレーム中の制御管理情報領域に前記制御信号を埋め込む埋め込み手段と、前記伝送リンクを介して前記伝送フレームを前記無線制御装置に送信する第３送信手段とを更に備えることを特徴とする付記１から５のいずれか一項に記載の無線基地局。
【０１１６】
（付記７）
前記無線制御装置は、前記無線装置から送信された伝送フレーム中の前記特定フレームから前記制御信号を抽出する抽出手段と、前記抽出された制御信号を、前記無線機器を制御する無線機器制御装置に送信する第４送信手段とを更に備えることを特徴とする付記６に記載の無線基地局。
【０１１７】
（付記８）
無線装置と伝送リンクを介して接続された無線制御装置であって、前記伝送リンクを介して送信される伝送フレーム中に含まれる複数のフレームのうち所定数のフレームを含むフレーム群毎に規則的に割り当てられる特定フレーム中の制御管理情報領域に、前記無線装置に接続される無線機器を制御するための制御信号を埋め込む埋め込み手段と、前記伝送リンクを介して前記伝送フレームを前記無線装置に送信する送信手段とを備えることを特徴とする無線制御装置。
【０１１８】
（付記９）
伝送リンクを介して送信される伝送フレーム中に含まれる複数のフレームのうち所定数のフレームを含むフレーム群毎に規則的に割り当てられる特定フレーム中の制御管理情報領域に無線機器を制御するための制御信号を埋め込む無線制御装置であって、前記伝送リンクを介して前記伝送フレームを送信する無線制御装置と前記伝送リンクを介して接続された無線装置であって、前記送信された伝送フレーム中の前記特定フレームから前記制御信号を抽出する抽出手段と、前記抽出された制御信号を前記無線機器に送信する送信手段とを備えることを特徴とする無線装置。
【０１１９】
（付記１０）
無線装置と当該無線装置を制御するための無線制御装置とが伝送リンクを介して接続された無線基地局における通信方法であって、前記無線制御装置側において、前記伝送リンクを介して送信される伝送フレーム中に含まれる複数のフレームのうち所定数のフレームを含むフレーム群毎に規則的に割り当てられる特定フレーム中の制御管理情報領域に、前記無線装置に接続される無線機器を制御するための制御信号を埋め込む埋め込み工程と、前記無線制御装置側において、前記伝送リンクを介して前記伝送フレームを前記無線装置に送信する第１送信工程と、前記無線装置側において、前記送信された伝送フレーム中の前記特定フレームから前記制御信号を抽出する抽出工程と、前記無線装置側において、前記抽出された制御信号を前記無線機器に送信する第２送信工程とを備えることを特徴とする通信方法。
【０１２０】
本発明は、上述した実施形態に限られるものではなく、請求の範囲及び明細書全体から読み取れる発明の要旨或いは思想に反しない範囲で適宜変更可能であり、そのような変更を伴なう無線基地局、無線制御装置及び無線装置、並びに通信方法もまた本発明の技術的範囲に含まれるものである。
【符号の説明】
【０１２１】
１、２、３  無線基地局
１００  ＲＥＣ
１０１  信号処理部
１０２  ＣＰＲＩフレーマ
１０３  ＣＰＵ
２００  ＲＥ
２０１  無線処理部
２０２  ＣＰＲＩフレーマ
２０３  ＣＰＵ
３００  ＡＬＤ
４００  ＡＬＤコントローラ
５００  ＣＰＲＩリンク
【図１】
2011130095.tif 000003
【図２】
2011130095.tif 000004
【図３】
2011130095.tif 000005
【図４】
2011130095.tif 000006
【図５】
2011130095.tif 000007
【図６】
2011130095.tif 000008
【図７】
2011130095.tif 000009
【図８】
2011130095.tif 000010
【図９】
2011130095.tif 000011
【図１０】
2011130095.tif 000012
【図１１】
2011130095.tif 000013
【図１２】
2011130095.tif 000014
【図１３】
2011130095.tif 000015
【図１４】
2011130095.tif 000016
【図１５】
2011130095.tif 000017
【図１６】
2011130095.tif 000018